(57)【要約】  ワイヤレス・ネットワークについて検索するための技術が説明される。ある概要において、UE（ユーザー設備）は、接続モードにおいて作動する間、検知可能なワイヤレス・ネットワークについての手動検索を行なう。UEは、ワイヤレス・ネットワークによって通信するための接続モードにおいて作動し、および検知可能なワイヤレス・ネットワークについて検索をするための要求を受信する。UEは、接続モードにおいて作動する間（例えば、DRX時間中のバックグラウンド・タスクとして）、検知可能なワイヤレス・ネットワークについての検索を行う。他の概要において、UEは、活動状態において受信した検索要求を保持し、および後に休止状態へ移行した後、検索を行う。他の概要において、UEは、状態移行を介して検索を効率的に取り扱う。UEは、各状態のタイプに基づいて、各々が１つの状態から他の状態へ移行した後、検索を取り消し、中断、再開、または継続してもよい。
2010509854.tif 000002
【特許請求の範囲】
【請求項１】
ワイヤレス・ネットワークによって通信をするための接続モードにおいて作動し、検知可能なワイヤレス・ネットワークについて検索をすることの要求を受信し、および前記接続モードにおいて作動する間に、検知可能なワイヤレス・ネットワークについての検索を行なうプロセッサーと、および
前記プロセッサーに連結されたメモリーと
を含む装置。
【請求項２】
前記プロセッサーは、不連続受信（ＤＲＸ）時間の間、バックグラウンド・タスクとして前記検索を行う、請求項１に記載の装置。
【請求項３】
前記プロセッサーは、UMTS（Universal Mobile Telecommunication System）ネットワークによって通信をするためのRRC（Radio Resource Control）接続モードにおいて作動する、請求項１に記載の装置。
【請求項４】
前記プロセッサーは、前記RRC接続モードのCELL_PCH状態またはURA_PCH状態の間に、検知可能なワイヤレス・ネットワークについて検索をすることの前記要求を受信し、およびCELL_PCH 状態または URA_PCH状態の間に、前記検索を行う、請求項３に記載の装置。
【請求項５】
前記プロセッサーは、前記RRC接続モードのCELL_DCH状態またはCELL_FACH状態の間に検知可能なワイヤレス・ネットワークについて検索をすることの要求を受信し、および前記RRC接続モードのCELL_PCH状態またはURA_PCH状態へ送信後に前記検索を行う、請求項３に記載の装置。
【請求項６】
前記プロセッサーは、GSMネットワークによって通信をするためのGSM（Global System for Mobile Communications）接続モードまたはGPRS（General Packet Radio Service）パケット転送モードにおいて作動する、請求項１に記載の装置。
【請求項７】
前記プロセッサーは、検知可能なPLMN（パブリック・ランド・モバイル・ネットワーク）について検索をすることの要求を受信し、および検知可能なPLMNについての前記検索を行う、請求項１に記載の装置。
【請求項８】
ワイヤレス・ネットワークによって通信をするための接続モードにおいて作動することと、
検知可能なワイヤレス・ネットワークについて検索をすることの要求を受信することと、および
前記接続モードにおいて作動する間に、検知可能なワイヤレス・ネットワークについての検索を行うことと
を含む方法。
【請求項９】
前記検索を行うことは、
不連続受信（DRX）時間中にバックグラウンド・タスクとして前記検索を行うことを含む、請求項８に記載の方法。
【請求項１０】
前記要求を前記受信することおよび前記検索を行うことは、
UMTS（Universal Mobile Telecommunication System）におけるCELL_PCH状態またはURA_PCH状態の間に、検知可能なワイヤレス・ネットワークについて検索をすることの前記要求を受信することと、および
前記CELL_PCH状態またはURA_PCH状態の間に、前記検索を行うこととを含む、請求項８に記載の方法。
【請求項１１】
ワイヤレス・ネットワークによって通信をするための接続モードにおいて作動するための手段と、
検知可能なワイヤレス・ネットワークについて検索をすることの要求を受信するための手段と、および
前記接続モードにおいて作動する間に、検知可能なワイヤレス・ネットワークについての検索を行うための手段と
を含む装置。
【請求項１２】
前記要求を受信するための手段および前記検索を行うための手段は、
UMTS（Universal Mobile Telecommunication System）におけるCELL_PCH状態またはURA_PCH状態の間に、検知可能なワイヤレス・ネットワークについて検索をすることの前記要求を受信するための手段と、および
前記CELL_PCH状態またはURA_PCH状態の間に、前記検索を行うための手段とを含む、請求項11に記載の装置。
【請求項１３】
ワイヤレス・ネットワークによって通信をするための接続モードにおいて作動し、
検知可能なワイヤレス・ネットワークについて検索をすることの要求を受信し、および
前記接続モードにおいて作動する間に、検知可能なワイヤレス・ネットワークについての検索を行う
ように作動可能な命令を内蔵するためのプロセッサー可読媒体。
【請求項１４】
UMTS（Universal Mobile Telecommunication System）におけるCELL_PCH状態またはURA_PCH状態の間に、検知可能なワイヤレス・ネットワークについて検索をすることの前記要求を受信し、および
CELL_PCH状態またはURA_PCH状態の間に、前記検索を行うこと
を実行可能にするように作動可能な命令を更に内蔵する、請求項13に記載のプロセッサー可読媒体。
【請求項１５】
接続モードの活動状態において作動し、ワイヤレス・ネットワークについて検索をすることの要求を受信し、前記活動状態において作動する間に、前記要求を保持し、および前記活動状態から休止状態への移行後に、ワイヤレス・ネットワークについての検索を行うプロセッサーと、および
プロセッサーへ連結されたメモリーと
を含む装置。
【請求項１６】
前記活動状態は、UMTS（Universal Mobile Telecommunication System）におけるCELL_DCH状態またはCELL_FACH状態であり、および前記休止状態は、CELL_PCH状態、URA_PCH状態、またはUMTSにおける休止モードである、請求項15に記載の装置。
【請求項１７】
前記要求は、より優先度の高いワイヤレス・ネットワーク、または検知可能なワイヤレス・ネットワークについてである、請求項15に記載の装置。
【請求項１８】
第1状態において作動し、前記第1状態において作動する間にワイヤレス・ネットワークについて検索をすることの要求を受信し、前記第1状態から第2状態へ移行し、および各状態のタイプに基づいて、前記第１状態および前記第２状態のうちの少なくとも１つにおいてワイヤレス・ネットワークについての検索を行うプロセッサーと、および
前記プロセッサーに連結されたメモリーと
を含む装置。
【請求項１９】
前記プロセッサーは、前記第1状態が休止状態である場合、前記第１状態において前記検索を行い、および前記第２状態が他の休止状態である場合、前記第２状態において前記検索を継続する、請求項18に記載の装置。
【請求項２０】
前記プロセッサーは、第1状態が休止状態である場合、前記第１状態において前記検索を行い、および前記第２状態が活動状態である場合、前記第２状態において前記検索を停止する、請求項18に記載の装置。
【請求項２１】
前記プロセッサーは、前記第２状態から第３状態へ移行し、および前記第３状態が休止状態である場合、前記第３状態において前記検索を再開する、請求項20に記載の装置。
【請求項２２】
前記プロセッサーは、前記第１状態が休止状態である場合、前記第１状態において前記検索を行い、および前記第２状態が活動状態であってかつ前記第２状態への移行が登録によって起動されない場合、前記検索を取り消す、請求項18に記載の装置。
【請求項２３】
前記プロセッサーは、前記第１状態が活動状態である場合、前記第１状態において前記検索を遅らせ、および前記第２状態が休止状態である場合、前記第２状態において前記検索を行う、請求項18に記載の装置。                                                            
【請求項２４】
前記プロセッサーは、前記第１状態がUMTS（Universal Mobile Telecommunication System）におけるCELL_PCH状態、URA_PCH状態、および休止モードを含む複数の休止状態のうちの１つである場合、前記第１状態において前記検索を行い、および前記第１状態がUMTSにおけるCELL_DCH状態およびCELL_FACH状態を含む複数の活動状態のうちの１つである場合、前記第１状態において前記検索を遅らせる、請求項18に記載の装置。
【請求項２５】
前記プロセッサーは、前記第２状態が前記複数の休止状態のうちの１つである場合、前記第２状態において前記検索を行い、および前記第２状態が前記複数の活動状態のうちの１つである場合、前記第２状態において前記検索を中断する、請求項24に記載の装置。
【請求項２６】
前記第１状態は、UMTS（Universal Mobile Telecommunication System）におけるCELL_PCH状態またはURA_PCH状態であり、前記第２状態は、UMTSにおけるCELL_FACH状態またはCELL_DCH状態であり、および前記プロフェッサーは、前記第１状態において前記検索を行い、前記第２状態への移行が登録によって起動される場合、前記第２状態において前記検索を中断し、および前記移行が登録によって起動されない場合、前記第２状態において前記検索を取り消す、請求項18に記載の装置。
【請求項２７】
前記要求は、より優先度の高いワイヤレス・ネットワークまたは検知可能なワイヤレス・ネットワークについてである、請求項18に記載の装置。
【請求項２８】
第１状態において作動することと、
前記第１状態において作動する間に、ワイヤレス・ネットワークについての検索をすることの要求を受信することと、
前記第１状態から第２状態へ移行することと、および
各状態に基づいて、前記第１状態および前記第２状態のうちの少なくとも１つにおいてワイヤレス・ネットワークについての検索を行うことと
を含む方法。
【請求項２９】
前記検索を行うことは、
前記第１状態が休止状態である場合、前記第１状態において前記検索を行うこと、および
前記第２状態が活動状態である場合、前記第２状態において前記検索を中断することと
を含む、請求項28に記載の方法。
【請求項３０】
前記検索を行うことは、
前記第１状態が活動状態である場合、前記第１状態において前記検索を遅らせること、および
前記第２状態が休止状態である場合、前記第２状態において前記検索を行うことを含む、請求項28に記載の方法。
【請求項３１】
第１状態において作動し、
前記第１状態において作動する間に、ワイヤレス・ネットワークについて検索をすることの要求を受信し、
前記第１状態から第２状態へ移行し、および
各状態に基づいて、前記第１状態および前記第２状態のうちの少なくとも１つにおいてワイヤレス・ネットワークについての検索を行う
ように作動可能な命令を内蔵するためのプロセッサー可読媒体。
【請求項３２】
前記第１状態が休止状態である場合、前記第１状態において前記検索を行い、および
前記第２状態が活動状態である場合、前記第２状態において前記検索を中断する
ように作動可能な命令を更に内蔵する、請求項31に記載のプロセッサー可読媒体。
【請求項３３】
前記第１状態が活動状態である場合、前記第１状態において前記検索を遅らせ、および
前記第２状態が休止状態である場合、前記第２状態において前記検索を行う
ように作動可能な命令をさらに内蔵する、請求項31に記載のプロセッサー可読媒体。
【請求項３４】
第１状態において作動することと、前記第１状態において作動する間に、ワイヤレス・ネットワークについて検索をすることの要求を受信することと、前記第１状態が休止状態である場合、ワイヤレス・ネットワークについての検索を行うことと、前記第１状態が活動状態である場合、前記検索を遅らせることと、前記第１状態から第２状態へ移行することと、前記第１状態および前記第２状態においての開始が活動状態である場合、前記検索を中断することと、および前記第１状態および第２状態においての開始が休止状態ではない場合、前記検索を行うことを含むプロセッサーと、および
前記プロセッサーに連結されたメモリーと
を含む装置。
【発明の詳細な説明】
【技術分野】
【０００１】
本件開示は、一般的に通信に関係し、特にワイヤレス通信ネットワークを検索するための技術に関係する。
【背景技術】
【０００２】
ワイヤレス通信ネットワークは、音声、パケット・データ、ブロードキャスト、メッセージなどのように、様々な通信サービスを提供するために広く展開されている。これらのワイヤレス・ネットワークは、利用可能なネットワーク資源を共有することにより複数のユーザーのための通信をサポートすることができてもよい。そのようなワイヤレス・ネットワークの例として、CDMA（符号分割多元接続）ネットワーク、TDMA（時分割多元接続）ネットワーク、FDMA（周波数分割多元接続）ネットワーク、およびOFDMA（直交ＦＤＭＡ）ネットワークを含む。これらのワイヤレス・ネットワークは、さらにＷ-CDMA（広帯域ＣＤＭＡ）、cdma2000、およびGSM（モバイル通信のためのグローバル・システム）のような様々な無線技術を利用してもよい。それらは本件技術分野において知られている。
【０００３】
ワイヤレス・デバイス（例えば、セルラー電話）は異なるワイヤレス・ネットワークによって通信することができてもよい。ワイヤレス・デバイスは、サービスを得ることができるワイヤレス・ネットワークを見つけるために検索を行ってもよい。検索は、以下の場合に行われてもよい。(a)ワイヤレス・デバイスが使用されていない場合（例えば、電源が入っているときに）、(b)ワイヤレス・デバイスが、最優先ワイヤレス・ネットワークではないワイヤレス・ネットワークと現在通信している場合、または(c)ユーザーが、検知可能な／利用可能な通信ネットワークのリストを得たい場合。ワイヤレス・ネットワークは適切なワイヤレス・ネットワークからサービスを得ることができ、（もしあるならば）通信中に中断されず、およびユーザーのために、良いユーザー・エクスペリエンスが達成されるように、検索をできるだけ効率的に行うことが望ましい。
【０００４】
従って、本件技術分野において、ワイヤレス・ネットワークのために効率的検索を行うための技術のニーズがある。
【発明の概要】
【０００５】
ワイヤレス・ネットワークについて検索をするための技術が本件明細書において説明される。これらの技術は、Ｗ-CDMA、GSMネットワークなどを利用するUMTS（ユニバーサル・モバイル通信システム）ネットワークのような様々なワイヤレス・ネットワークのために使用されてもよい。
【０００６】
ある態様において、UE（ユーザー設備）（例えば、セルラー電話）は、接続モードにおいて作動する間に、検知可能なワイヤレス・ネットワークについての手動検索を行う。ＵＥは、ワイヤレス・ネットワーク（例えばUMTSネットワーク）によって通信をするために接続モードにおいて作動する。UEは、UEによって検知可能なワイヤレス・ネットワークについて検索をすることの要求を受信する。UEは、接続モードにおいて作動している間に、検知可能なワイヤレス・ネットワークについての検索を行う（例えば、不連続受信（DRX）時間の間にバックグラウンド・タスクとして行う）。
【０００７】
他の態様において、UEは、活動状態において検索要求を保持し、後に検索を行う。UEは、接続モードの活動状態において作動する（例えば、UMTSにおけるCELL_FACH状態またはCELL_DCH状態、）。UEは、活動状態において作動している間に、ワイヤレス・ネットワークについて検索をすることの要求を受信し、要求を保持する。UEは、活動状態から休止状態（例えば、UMTSにおける休止モード、URA_PCH状態、またはCELL_PCH状態）へ移行した後にワイヤレス・ネットワークについての検索を行う。
【０００８】
他の態様において、UEは、状態移行を介して効率的に検索を扱う。UEは、第１状態において作動し、ワイヤレス・ネットワークについて検索をすることの要求を受信する。その後、UEは、第１状態から第２状態へ移行する。UEは、各状態のタイプに基づいて、第１状態、または第２状態、または第１状態および第２状態の両方においてワイヤレス・ネットワークについての検索を行う。UEは、第１状態が休止状態である場合、第１状態において検索を行ってもよく、また、第２状態が他の休止状態である場合、第２状態において検索を継続してもよい。UEは、状態が休止状態である場合、第１状態において検索を行ってもよく、また、第２状態が活動状態である場合、第２状態において検索を中断してもよいし、または取り消してもよい。UEは、第１状態が活動状態である場合、第１状態において検索を遅らせてもよく、また、第２状態が休止状態である場合、第２状態において検索を行ってもよい。
【０００９】
本件開示の様々な態様および特徴は、下記のさらなる詳細において説明される。
【図面の簡単な説明】
【００１０】
【図１】図１は、UMTSネットワークおよびGSMネットワークを備えた配備を示す図である。
【図２】図２は、UMTSおよびGSMのためのプロトコル・スタックを示す図である。
【図３】図３は、UMTSおよびGSMにおける状態および様式の状態図を示す図である。
【図４】図４は、DRXモードにおけるUEに関するタイムラインを示す図である。
【図５】図５は、状態移行による検索を処理する例を示す図である。
【図６】図６は、接続モードにおいて手動検索を行う過程を示す図である。
【図７】図７は、活動状態において検索要求を取り扱う過程を示す図である。
【図８】図８は、状態移行を介して検索を取り扱う過程を示す図である。
【図９】図９は、UEのブロック図を示す図である。
【発明を実施するための形態】
【００１１】
本件明細書において説明される検索技術は、UMTSネットワーク、GSMネットワーク、cdma2000ネットワークのような、様々なワイヤレス通信ネットワークのために使用されてもよい。「ネットワーク」および「システム」という用語はしばしば交換的に使用される。GSMネットワークは、エアー・インターフェースのためのGSMおよびコア・ネットワークのためのMAP（Mobile Application Part）のためのGSMを利用する。GSMネットワークは、パケット・データのために、GPRS（General Packet Radio Service）またはEDGE（Enhanced Data Rates for Global Evolution）をも実行してもよい。UMTSネットワークは、エアー・インターフェースのためのＷ-CDMAおよびコア・ネットワークのためのMAPを利用する。「エアー・インターフェース」、「無線技術」および「無線アクセス技術」という用語は、交換的に使用される。「Ｗ-CDMA」および「UMTS」という用語も交換的に使用される。Ｗ-CDMAおよびGSMは３GPP（「3rd Generation Partnership Project」）という名の組織による文献において説明されている。cdma2000は、3GPP2（「3rd Generation Partnership Project 2」）という名の組織による文献において説明されている。
【００１２】
一般的に、ワイヤレス・ネットワークは、Ｗ-CDMA、GSM、cdma2000などのようなどんな無線技術を利用してもよい。ネットワーク・オペレーター／サービス・プロバイダーは、１つまたは複数の無線技術の１つまたは複数のワイヤレス・ネットワークを配備させてもよい。明瞭にするために、UMTSおよびGSMに関する検索技術が下記において説明される。明瞭にするために、下記の説明においては、多くの場合UMTS用語を使用することとする。
【００１３】
図１は、UMTSネットワーク110およびGSMネットワーク120を含む配備100を示す。UMTSネットワーク110は、UMTSネットワークのカバレッジ・エリア内のUEと通信するノードＢ112を含む。RNC（無線ネットワーク・コントローラー）114は、ノードB112に連結し、およびこれらのノードBのための調整および制御を提供する。GSMネットワーク120は、GSMネットワークのカバレッジ・エリア内のＵＥと通信するノードB122を含む。MSC（モバイル交換局）124は、ノードB122に連結し、およびこれらのノードBのための調整および制御を提供する。RNC114は、UMTSとGSMネットワークとの間の相互作用をサポートするために、MSC124と通信してもよい。一般的に、ノードBは、UEと通信する固定局であり、および基地局、BTS（ベース・トランシーバ局）、ｅNode B（強化ノードＢ）、アクセス・ポイントなどと呼ばれてもよい。ワイヤレス・ネットワークは、多くのセルを一般的に含む。本件明細書において用語「セル」は、その用語が使われている文脈に依存して、ノードBまたはノードＢの適用範囲と呼ぶことができる。
【００１４】
UE150は、UMTSネットワーク110とのみ、またはGSMネットワーク120とのみ、またはUMTSネットワークおよびGSMネットワーク120の両方によって通信することができてもよい。UE150は、他のワイヤレス・ネットワーク（例えば、cdma2000ネットワーク）によって通信することができてもよい。UE150は、静止または移動しているかもしれない。また、UE150は、MS（モバイル局）、ME（モバイル設備）、端末、STA（局）などと呼ばれてもよい。UE150は、セルラー電話、PDA（情報携帯端末）、ワイヤレス・モデム、ワイヤレス通信デバイス、加入者ユニットなどであってもよい。UE110は、与えられたどの瞬間においても、ダウンリンクおよび／またはアップリンクにおいて１つまたは複数のノードBと通信してもよい。ダウンリンク（または順方向リンク）はノードBからUEへの通信リンクを指し、およびアップリンク（または逆方向リンク）はUEからノードBへの通信リンクを指す。
【００１５】
UMTSネットワーク110およびGSMネットワーク120は、同じまたは異なるPLMN（パブリック・ランド・モバイル・ネットワーク）に属してもよい。PLMNは、１つまたは複数のワイヤレス・ネットワーク（例えば、１つまたは複数のUMTSネットワークおよび／または１つまたは複数のGSMネットワーク）を含んでもよい。PLMNは、特定のMCC（Mobile Country Code）および特定のMNC（Mobile Network Code）によって一義的に識別される。与えられたPLMNのためのUMTSネットワークおよびGSMネットワークは、重複または非重複カバレッジ・エリアを有してもよい。与えられた地理的な範囲において、異なるサービス・プロバイダーによって複数のPLMNが更に配備されてもよい。
【００１６】
UE150は、UEがサービスを受け得る優先的PLMNのリストによって供給されてもよい。優先的リストは、UEがサブスクリプションを有するサービス・プロバイダーによって供給されてもよい。優先的リストは、サービス・プロバイダーがローミング協定を有するための、HPLMN（ホームPLMN）および他のPLMNを通常含む。優先的リストは、SIM（加入者一致モジュール）、USIM（ユニバーサルSIM）、またはいくつかの他の不揮発性メモリーモジュールに記憶されてもよい。UEは、先の検索において見つけたPLMNのリストを更に維持してもよい。見つけられたPLMNのリストは、不揮発性メモリー中の取得データベースに記憶されてもよい。
【００１７】
図２は、UMTSおよびGSMのためのプロトコル・スタック200を示す。UMTS用のプロトコル・スタックは、NAS（非アクセス層）およびAS（アクセス層）を含む。NASは、UEとUMTSネットワークがインターフェイスするコア・ネットワークとの間にトラヒックおよびシグナリングを維持する機能およびプロトコルを含む。ASは、UMTSネットワーク内のRNCとUEとの間の通信をサポートする機能およびプロトコルを含む。UMTSのために、ASは、RRC（無線資源管理）レイヤー、RLC（無線リンク制御）レイヤー、MAC（中間アクセス制御）レイヤー、および物理レイヤーを含む。RRCは、レイヤー３のサブレイヤーである。RLCおよびMACは、レイヤー２のサブレイヤーである。レイヤー2は、データ・リンク・レイヤーとも呼ばれる。物理レイヤーは、レイヤー１とも呼ばれる。
【００１８】
GSMは、NASおよびASを同様に含む。GSMの場合は、ASは、レイヤー３におけるRR（無線資源）管理レイヤー、RLCおよびレイヤー2におけるMACレイヤー、およびレイヤー1における物理レイヤーを含む。
【００１９】
RRCおよびRRは、コールを確立し、維持し、および終了する等のためにPLMNについて検索をすることの様々な機能を行う。単純化のため、PLMN検索に関係する作用のみが下記において説明される。
【００２０】
図3は、UMTSおよびGSMにおける様々な状態および様々なモードの状態図300を示す。単純化のため、状態図300は適切な状態および適切なモード、および全てではないが可能な状態およびモードを示す。電源が投入される際に、UEはサービスを受けるための適切なセルを見つけるために、セル選択を行なう。このセルはサービングセルと呼ばれる。その後UEは、UEに関して何かの活動があるかどうかおよびUEがUMTSネットワークまたはGSMネットワークと通信しているかどうかによって、休止モード310、UMTS UTRA（地上無線アクセス）RRC接続モード320、GSM接続モード330、またはGPRSパケット転送モード340に移行してもよい。休止モードにおいて、UEは、UMTSネットワークまたはGSMネットワークによって登録しており、ページング・メッセージをリッスンし、および必要な場合はUMTSネットワークまたはGSMネットワークによってその位置を更新する。UEは、RRC状態および構成によって、UTRA RRC接続モードの間に、UMTSネットワークによってデータを受信および／または送信することができる。UEは、GSM接続モードまたはGPRSパケット転送モードの間に、GSMネットワークによって、データを受信および／または送信することができる。UEは、UMTSとGSMとの間においてハンドオーバーするために、UTRA RRC接続モードとGSM接続モードまたはGPRSパケット転送モードのいずれかとの間において、移行してもよい。
【００２１】
UTRA RRC接続モードの間に、UEは４つの可能なRRC状態のうちの１つであってもよい。それらは、CELL_DCH状態322、CELL_FACH状態324、CELL_PCH状態326、またはURA_PCH状態328である。そこでは、DCHは、専用輸送チャネルを表示し、FACH順アクセス・チャネルを表示し、PCHは、ページング・チャネルを表示し、およびURAは、UTRAN登録範囲を表示する。表１は4つのRRC状態について短い説明を提供する。RRC状態およびRRCモードは、公に利用可能である2006年6月７日に公開された、「Radio Resource Control (RRC); Protocol Specification」という題名である3GPP TS 25.331において説明されている。
【表１】
2010509854.tif 000003
【００２２】
CELL_PCH状態において、UMTSネットワークは、セル・レベルにおけるUEの位置を把握している。UEは、新しいセルへ移動する場合は常に、UMTSネットワークによってセルの更新を行なう。URA_PCH状態において、UMTSネットワークは、セルの集まりであるURAレベルにおいてUEの位置を把握している。UEは、新しいURAに移動する場合は常に、UMTSネットワークによってURAの更新を行う。UEは、URA_PCH状態においてよりもCELL_PCH状態において、その位置をより頻繁に更新してもよい。
【００２３】
UEは、（1）RRC接続確立手順を行うことによる、休止モードからCELL_DCH状態またはCELL_FACH状態への移行、および（2）RRC接続解除手順を行なうことによる、CELL_DCH状態またはCELL_FACH状態から休止モードへの移行を行ってもよい。UEは、（1）再配置手順を行うことによる、CELL_DCH状態またはCELL_FACH状態からUTRA RRC接続モードにおけるその他の状態への移行、および（2）再配置手順を行うことによる、CELL_DCH状態内における異なる配置への移行を行ってもよい。UMTSネットワークは、UEの活動に基づいて、UEに対し、UTRA RRC接続モードにおける4つのRRC状態のうちの1つとなることを命じてもよい。接続および再配置についての手順は、3GPP TS 25.331に説明されている。
【００２４】
UMTSにおいては、システム・タイムラインは、無線フレームに分割される。各無線フレームの継続時間は10ミリセカンド（ms）であり、また、そのフレームは１２ビットのシステム・フレーム番号（SFN）によって識別される。SFNは特定の時間に0にリセットされ、その後、各フレームに１つ増加され、また、最大値4095に達した後、0にリセットされる。
【００２５】
図４は、DRXモードで作動中のUEに関するタイムライン400を示す。休止モード、CELL_PCH状態またはURA_PCH状態の間は、UEはDRXモードにおいて作動してもよい。DRXモードは、スロット・モード・ページングとも呼ばれる。DRXモードにおいて、UEは、割り当てられたページング時間である。ページング時間とは、UEがページを受信することのできる特定の無線フレームである。UEのためのページング時間は、DRXサイクルと呼ばれる時間間隔によって分離される。DRXサイクルはUEに関して設定可能であり、および80msから5.12秒まで変動することができるが、DRXサイクルは一般的に1.28秒に等しい。UEに関するページング時間は、UEにとっては固有のIMSI（国際的なモバイル加入者識別子）のようないくつかのパラメーターに基づいて決定される。
【００２６】
UEは、送られたどんなページをも受信するために、そのページング時間中に定期的に起きてもよい。ページは、ページング時間外にあるUEには送られない。他に行なうタスクがない場合、ページング時間の間に、UEは休憩してもよい。UEは、バッテリー電力を維持するために、休憩中にできるだけ回路の電力を落としてもよい。
【００２７】
UEは、PLMNを捜すために、手動検索または自動検索を行なってもよい。UEは、ユーザーによって要求されたときは常に手動検索を行ってもよい。手動検索の目的は、ＵＥによって見つけられた全てのPLMNの包括的リストをユーザーへ返すことである。ホームPLMNより優先度の低いPLMN上でキャンプしている場合、UEは定期的に自動検索を行なってもよい。自動検索の目的は、サービス中のPLMNよりも優先度の高いPLMNを見つけることである。UEは、定期検索タイマーが終了する場合は常に自動検索を行なってもよい。タイマー値は、サービス・プロバイダーによって提供されてもよい。表２は、手動検索および自動検索の特質の要所を要約する。
【表２】
2010509854.tif 000004
【００２８】
UEは更に他のタイプの検索を行なってもよい。例えば、UEは、取得データベースに記憶されたPLMNの検索を行なってもよい。これは、取得データベース検索と呼ばれる。UEは、取得データベース内のPLMNのための関連情報（例えば、タイミング、周波数、およびスクランブルするコード情報）を持っている。このように、UEは、比較的短い期間における取得データベースの検索を行なうことができてもよい。UEは、更に自動検索または手動検索に先立って取得データベースの検索を行なってもよい。UEは、自動検索または手動検索のための検索スペースを低減するために、取得データベースの検索結果を使用してもよい。
【００２９】
PLMN検索は、このように、自動検索、手動検索、またはその他のタイプの検索となる場合がある。PLMN検索について、UEは、UMTSネットワークについての検索（またはUMTS検索）、GSMネットワークについての検索（またはGSM検索）、その他の無線技術のワイヤレス・ネットワークについての検索、またはそれらの組み合わせを行なってもよい。検索への特別なネットワークは、UE能力、ユーザー・サブスクリプション、UEの状態またはモードなどのような様々な要因によってもよい。
【００３０】
UEは、PLMN検索を要求されたとき、または起動されたとき、常にバックグラウンド・タスクとして行なってもよい。フォアグラウンド・タスク（例えば、データ交換、ページ受信など）はより高い優先度を持っており、最初に行なわれる。バックグラウンド・タスクはより低い優先度を持っており、例えば行うべきフォアグラウンド・タスクがない場合に行なわれる。UEは、フォアグラウンド・タスクへの混乱を回避しまたは低減するために、可能な場合は常に、バックグラウンド・タスクとしてPLMN検索を行なってもよい。
【００３１】
UEは、CELL_PCH 状態、URA_PCH 状態、または休止モードの間に、UEがサービングセルからページを受信しないかもしれないとき、DRXの時間中にPLMNを検索してもよい。ページの紛失を回避するために、UEは、そのページング時間中にPLMN検索を中断し、サービングセルからページング・チャネルを受信し、およびその後、PLMN検索を継続してもよい。これは、ページの損失を最小化する間に、UEがPLMNについて検索をすることを可能にする。図４において、UEのための１つのページング時間は、時間T1と時間T2との間で生じ、およびUEのための別のページング時間は、時間T3と時間T4との間で生じる。UEのためのDRX時間は、時間T1に先立ち、時間T2と時間T3との間、および時間T4の後にある。DRX時間は、他のタスクを行なう必要がない限り、潜在的にPLMN検索を利用することができる。UEは、DRX時間の間、PLMNについて検索をしてもよい。
【００３２】
UEは、CELL_DCH状態にいる間、送信ギャップ中にPLMNを検索してもよい。UEは、圧縮モードにおいて作動してもよい。このモードにおいては、隣接セルの測定を行なうことを可能にするために、UMTSネットワークが送信においてギャップを提供する。ＵＥは、サービングセルからのデータを失わずに、他のセルの測定を行なうために、送信ギャップ中に一時的にサービングセルを離れてもよい。CELL_FACH状態の間、UEは再選択測定時間中にPLMNについての検索をしてもよい。それは、他のセルの測定を行なうためにUEが一時的にサービングセルを離れることができる時間区間である。CELL_DCH状態またはCELL_FACH状態において、UEは、UMTSネットワークとのどのデータまたはどのシグナリングとも交換することを予期しない期間中に、PLMNについて検索をしてもよい。
【００３３】
更にUEは、複数セルまたは周波数を同時に受け取る能力を持っていてもよい。例えば、UEは、受信ダイバーシティおよび／または複数入力・複数出力（MIMO）送信に使用される場合がある、複数アンテナおよび複数受信機を有してもよい。UEは、データ、信号、および／またはページをサービングセルから受信するために１つまたは複数の受信機を使用してもよいし、およびPLMNを検索するために１つまたは複数の他の受信機を使用してもよい。この能力で、UEは、利用可能な受信機の部分集合の使用により、どの時間およびどの状態においてもPLMN検索を行うことができる。次の説明は、UEが１つの受信機を持っていると仮定する。
【００３４】
UEは、時間を延長するために、UTRA RRC接続モード、特にCELL_PCH状態またはURA_PCH状態において作動することができる。UEがCELL_PCH状態またはURA_PCH状態である場合、自動検索は自動的に（例えば、周期的な検索タイマーの終了により）起動されてもよく、および／または手動検索はユーザーによって起動されてもよい。これらの状態において検索を行わないことは、不十分なユーザー・エクスペリエンスに結びつく場合がある。例えば、ユーザーは、自動的な検索が行われない場合、HPLMNが利用可能だとしても、訪れたPLMN（VPLMN）に、より長い時間持続して留まっていてもよいため、ユーザーおよび／またはサービス提供者が追加費用を負う。手動検索が行われない場合、ユーザーは、全ての利用可能なPLMNのリストを得ることができないであろうし、および希望のPLMNを手動的に選択することができないであろう。
【００３５】
UEは、実行およびユーザー・エクスペリエンスを向上するために、UTRA RRC接続モードの間に、PLMN検索を行う。これらの状態の特徴に基づいて、UTRA RRC接続モードの異なる状態に関して異なる方法によって検索要求を進行してもよい。
【００３６】
CELL_PCH状態またはURA_PCH状態において作動しているときに、UEは検索要求を受理し、およびPLMN検索を行ってもよい。要求は、自動検索、手動検索、またはいくつかの他のタイプの検索であってもよい。UEは、ページ紛失を回避するために、DRX時間中に要求されたPLMN検索を行ってもよい。UEは、ページング時間に先立ってPLMN検索のために状態情報を保存してもよく、およびページング時間の最後に保存した状態情報を利用してPLMN検索を再開してもよい。
【００３７】
UEは、CELL_DCH状態またはCELL_FACH状態の間、自動検索要求を拒絶してもよい。NASは、周期検索タイマーが終了するときはいつでもRRCへ自動検索要求を発行してもよい。NASは、RRCが自動検索要求を拒絶した場合、後で（例えば、短期タイマーが終了したとき）要求を再発行してもよい。短期タイマーは、より短い持続時間を有している場合がある。例えば、周期検索タイマーは分単位の順であるのに対し、短期タイマーが秒単位の順であってもよい。この場合、RRCによる自動検索要求の拒絶は、逆に実行に影響を与えない場合がある。或いは、CELL_DCH状態またはCELL_FACH状態の間、RRCは、自動検索要求を受理しおよび保持してもよく、また、適切な時間、例えば、CELL_PCH状態またはURA_PCH状態に移行した後に自動検索を行ってもよい。
【００３８】
UEは、(a)CELL_DCH状態またはCELL_FACH状態において行われている作業が手動検索よりも重要だと判断される場合、および(b)手動検索を行うことがこれらの作業を中断する場合、CELL_DCH状態またはCELL_FACH状態において手動検索要求を拒絶してもよい。NASは、ユーザーから手動検索要求を受信してもよく、およびRRCへ要求を発行してもよい。NASは、RRCが要求を拒絶した場合、短期タイマーが終了したとき要求を再発行してもよい。或いは、RRCは、手動検索要求を受理してもよく、および後に、例えば、CELL_PCH状態またはURA_PCH状態へ移行した後に、手動検索を行ってもよい。
【００３９】
UTRA RRC接続モードの間、UEは、セルの更新、URAの更新、パケット交換の取り付けなどを行うために、CELL_PCH状態またはURA_PCH状態のいずれかからCELL_DCH状態またはCELL_FACH状態のいずれかへしばしば移行してもよい。UEは、セル／URA更新または登録を行うために、短期間の間CELL_DCH状態またはCELL_FACH状態に残っていてもよいし、およびその後CELL_PCH状態またはURA_PCH状態へ戻ってもよい。登録がユーザーに対して透明であるので、手動検索要求を拒絶すること、およびユーザーへPLMNを１つも返さないことが、悪いユーザー・エクスペリエンスへ結びつく場合がある。従って、UEは、登録に伴ってUEが状態へ進入した場合、CELL_DCH状態またはCELL_FACH状態の間、手動検索要求を受理してもよい。UEは、CELL_PCH 状態、URA_PCH 状態、または休止モードへ移行したときはいつでも、手動検索を行ってもよい。UEは、登録以外の理由（例えば、データまたはシグナリングを送信するため、ページへ返答するためなど）によってCELL_DCH状態またはCELL_FACH状態へ進入した場合、手動検索状態を拒絶してもよい。
【００４０】
表3は、１つの設計に従って、検索要求の取り扱いをリストする。上記で注目したように、検索要求が拒絶された場合であっても、短時間後要求は再発行される場合がある。
【表３】
2010509854.tif 000005
【００４１】
上記の説明は、新規検索要求の取り扱いに一般的に関係する。検索要求は、１つのRRC状態において受理されていてもよい。PLMN検索は、UEが他のRRC状態へ移行するとき、開始されていてもよいし、または開始されていなくてもよい。検索要求およびPLMN検索は、状態移行に伴って、様々な方法によって取り扱われてもよい。
【００４２】
UEは、セル再選択、アップリンクデータ転送、位置範囲更新、ルーティング範囲更新などにともなって、CELL_PCH状態またはURA_PCH状態からしばしば一時的に出てもよい。UEは、CELL_PCH状態またはURA_PCH状態の間、検索要求を受理していてもよいし、およびPLMN検索を開始していてもよい。UEはその後、CELL_FACH状態またはCELL_DCH状態のような他のRRC状態へ移行してもよい。状態移行の原因がユーザーに対して透明であるために、他のRRCへの移行に伴うPLMN検索を取り消すことは、悪いユーザー・エクスペリエンスに結びつく場合がある。
【００４３】
次の用語はPLMN検索に関して使用されてもよい。検索は、状態移行の後に取り消されてもよく、および同じ検索が再発行されない限り（例えば、NASにより）、または他の検索要求が発行されない限り、行われないだろう。検索は、状態移行の後に中断されてもよい。中断された検索は、その中間結果および検索状態情報を保存してもよい。その場合には、検索は、それが中断されたときよりも後で行なわれてもよい。或いは、中断された検索は、その中間結果および／または検索状態情報を廃棄してもよい。その場合には、検索は、最初よりも後で行なわれてもよい。中断された検索は、始めからまたはそれが中断されたときからのいずれかより後に再開されてもよい。中断された検索は、状態移行の後に更に中断され続けてもよい。進行中の検索も状態移行の後に継続されてもよい。
【００４４】
単純化のために、CELL_PCH状態、URA_PCH状態および休止モードは、休止状態とみなされてもよい。CELL_FACH状態およびCELL_DCH状態は活動状態とされてもよい。一般的に、検索は、ある状態から別の状態への移行後に、取り消され、中断され、再開され、または継続されてもよい。検索を取り消すか、中断するか、再開するか、継続するかどうかは、例えば、状態移行に先立って検索が進行中かまたは中断中かどうか、検索結果が状態移行後、状態移行の原因後、新規の状態における予期された長さの滞在後であってもまだ関連しているかどうか、などの様々な要因による。
【００４５】
CELL_PCH/URA_PCHからCELL_FACHへ移行するまでの間、UEは、CELL_PCH状態またはURA_PCH状態において受理された、自動検索または手動検索を中断してもよい。UEは、CELL_FACH状態で一時的に留まってもよいし、およびその後休止状態に移行する際に、自動検索または手動検索を再開してもよい。CELL_PCH/URA_PCHからCELL_DCHへ移行するまでの間、ＵＥは、短期タイマーが終了するときNASによって再発行される場合のある自動検索を取り消してもよい。UEは、CELL_DCH状態に進入する際に、手動検索を中断してもよいし、および休止状態に移行する際に、手動検索を再開してもよい。CELL_PCH/URA_PCHから休止モードへ移行するまでの間、UEは、より優先度の高いPLMNを見つける必要がない場合がある以上、自動検索を取り消してもよい。UEは、手動検索が行われていない場合、手動検索を開始してもよいし、または手動検索が進行中の場合、手動検索を継続してもよい。
【００４６】
休止モードからCELL_FACH/CELL_DCHへ移行するまでの間、UEは、NASによって再発行される場合のある自動検索を取り消してもよい。UEは、登録によりCELL_FACH/CELL_DCH状態へ進入した場合、手動検索を中断してもよいし、および休止状態へ移行する際に手動検索を再開してもよい。登録以外の理由によりCELL_FACH/CELL_DCH状態へ進入した場合、UEは、手動検索を取り消してもよいし、およびNASは手動検索要求を再発行してもよい。
【００４７】
UEは、CELL_FACHからCELL_PCH/URA_PCHへ移行するまでの間、CELL_FACH状態中に中断された場合、自動検索または手動検索を再開してもよい。UEは、CELL_FACHから休止モードへ移行するまでの間、自動検索を取り消してもよい。自動検索は、NASによって再発行される場合がある。UEは、(a)RRC状態のうちのどの状態においても全く手動検索が行なわれなかった場合、手動検索を開始してもよいし、(b)CELL_FACH状態において手動検索が中断された場合、手動検索を開始してもよいし、または(c)手動検索を取り消してもよい。この手動検索は、NASによって再発行される場合がある。UEは、CELL_FACHからCELL_DCHへ移行するまでの間、自動検索を取り消すことがある。この自動検索は、NASによって再発行される場合がある。UEは、CELL_DCH状態にある間、手動検索を中断してもよいし、および休止状態へ移行する際に、手動検索を再開してもよい。
【００４８】
UEは、CELL_DCHからCELL_PCH/URA_PCH/休止モードへ移行するまでの間、CELL_DCH状態中に手動検索が中断された場合、手動検索を再開してもよい。UEは、CELL_DCH状態へ移行する際に、自動検索が取り消された場合、自動検索のために何もしなくてもよい。UEは、CELL_DCHからCELL_FACHへ移行するまでの間、CELL_FACH状態にある間に、手動検索を中断してもよいし、および休止状態へ移行する際に、手動検索を再開してもよい。UEは、CELL_DCH状態への移行に伴って自動検索が取り消された場合、自動検索のために何もしなくてもよい。表４は、様々な状態間の移行のための自動検索および手動検索を取り扱うための特定の設計を示す。表４中の「X」は、適用可能ではない移行または状態を示す。
【表４】
2010509854.tif 000006
【００４９】
表４において示された設計において、自動検索は、(a)CELL_DCH状態へ移行する際に取り消され、およびNASによって再発行されてもよいし、および(b)休止状態からCELL_FACH状態へ移行する際に中断される。手動検索は、(a)登録のために休止状態から活動状態へ移行する際に、中断されてもよいし、または(b)移行が登録以外の理由である場合、取り消されてもよい。手動検索は、ある活動状態からその他の活動状態へ移行する間、中断されていてもよい。休止状態へ移行する際に、検索は継続されてもよいし、または再開されてもよい。
【００５０】
いくつかの設計の例は、状態移行を通じて検索を取り扱うために上記において説明されている。一般に、検索は、望ましい結果に基づいて各可能な状態移行のためにどの方法で取り扱われてもよい。
【００５１】
UEは、セル再選択、位置範囲更新、ルーティング範囲更新などに関する登録を行なうために、CELL_FACH状態またはCELL_DCH状態へしばしば移行してもよい。UEが登録のためにCELL_FACH状態またはCELL_DCH状態へ移行するたびに毎回検索を取り消さないことが望ましい場合がある。そうすることで、登録のためのCELL_FACHまたはCELL_DCHへの頻繁な移行により検索が終わることを防いでもよい。ユーザーに対して透明な出来事（例えば、再選択によるセル/URA更新のためのCELL_PCH/URA_PCHからCELL_FACHへの移行）のために手動検索を取り消さないことが望ましい場合もある。ユーザーはこれらの出来事に気がついておらず、手動検索を終結させたくない場合がある。
【００５２】
図５は、状態移行による検索のための処理の例を示す。時間Taにおいては、UEは、CELL_PCH、URA_PCH、または休止モードであってもよい休止状態にある間、検索についての要求を受信する。ＵＥは時間Tbに検索を開始する。時間Tcにおいては、UEは、休止状態から活動状態へ移行する。それは、CELL_DCHまたはCELL_FACHであってもよい。また、UEは、検索を中断するかまたは取り消す。時間Tdにおいては、UEは、検索が取り消されない場合、休止状態へ移行し、および検索を再開する。時間Teにおいては、UEは、他の休止状態へ移行し、検索を継続する。時間Tfにおいては、UEは、検索を終えて、検索結果を提供する。UEは、更に他の方法で検索を行なってもよい。
【００５３】
PLMNは、１つまたはそれ以上の周波数帯上で作動してもよい。各周波数帯は、およそ５MHzによって別々に間隔を置かれてもよい複数UMTSチャネルをカバーしてもよい。各UMTSチャネルは3.84MHzの帯域幅、および200KHzの分解能において与えられる中心周波数を有する。各UMTSチャネルは、特定のチャネル番号によって識別される。その番号は、UARFCN（UTRA絶対的無線周波数チャネル番号）であってもよい。様々な周波数帯のためのUARFCNは、2006年3月7日に出版された公に利用可能な「User Equipment (UE) radio transmission and reception (FDD)」という題名の3GPP TS 25.101において述べられている。PLMN内のUMTSネットワークは、1つまたはそれ以上の特定のUARFCNにおいて典型的に作動する。
【００５４】
UEは様々な方法で手動検索を行なってもよい。例えば、UEは、与えられた周波数帯において手動検索を以下のように行なってもよい。
【００５５】
＊  全周波数帯を介して粗い周波数スキャンを行ない、△ｆc（例えば、△ｆc = 2MHz）の間隔で置かれた粗い周波数によって受信電力を測定し、および強くて粗い周波数を識別する、
＊  各々の強くて粗い周波数のまわりのUARFCN領域のために良い周波数スキャンを行ない、および強いUARFCNを識別する、
＊  各々の強いUARFCNの獲得を試みる、および
＊  （例えば、PLMN内のセルによってMIB（マスター情報ブロック）ブロードキャストを読むことによって）発見された各PLMNのPLMN IDを得る。
【００５６】
UEは、更に様々な方法によって自動検索を行なってもよい。例えば、UEは、与えられた周波数帯において自動検索を以下のように行なってもよい。
【００５７】
＊  粗い周波数スキャンを行ない、および強くて粗い周波数を識別する、
＊  細かい周波数スキャンを行ない、および強いUARFCNを識別する、
＊  各々の強いUARFCNの獲得を試みる、および
＊  （例えば、MIB、およびPLMNにおけるセルによってSIB1（システム情報ブロック・タイプ1）およびSIB3（システム情報ブロック・タイプ3）を読むことによって発見されたより優先度の高いセルのために、システム情報を得る。
【００５８】
検索は、他のワイヤレス・ネットワークおよび無線技術に関する他の方法によって行なわれてもよい。
【００５９】
図６は、接続モードにおいて手動検索を行なう過程600を示す。UEは、ワイヤレス・ネットワークによって通信をするために接続モードにおいて作動する（ブロック612）。UEは、UMTSネットワークによって通信をするためにRRC接続モードにおいて作動するか、GSMネットワークによって通信をするためにGPRSパケット転送モードにおいて作動するか、またはワイヤレス・ネットワークの他のタイプによって通信をするために他の接続モードにおいて作動してもよい。UEは、UEによって検知可能なワイヤレス・ネットワーク（またはPLMN）について検索をすることの要求を受信する（ブロック614）。UEは、接続モードにある間、検知可能なワイヤレス・ネットワークについての検索を行なう（ブロック616）。UMTSの場合は、UEは、CELL_PCH状態またはURA_PCH状態にある間、要求を受信してもよいし、およびCELL_PCH状態またはURA_PCH状態にある間、検索を行ってもよい。UEは、CELL_DCH状態またはCELL_FACH状態にある間、要求を受信してもよいし、およびCELL_PCH状態またはURA_PCH状態へ移行した後、検索を行ってもよい。UEは、UEのためにDRX時間中にバックグラウンド・タスクとして検索を行なってもよい。
【００６０】
図７は、活動状態における検索要求の取り扱い過程700を示す。UEは、接続モード、例えば、UMTSにおけるCELL_DCH状態またはCELL_FACH状態の活動状態において作動する（ブロック712）。UEは、優先度のより高い検索をすることの要求を受信するか、または検知可能なワイヤレス・ネットワークについて検索することの要求を受信する（ブロック714）。UEは、活動状態にある間、要求を保持する（ブロック716）。UEは、活動状態から休止状態（例えば、CELL_PCH状態、URA_PCH状態、またはUMTSにおける休止状態）へ移行した後、ワイヤレス・ネットワークについての検索を行う（ブロック716）。
【００６１】
図８は、状態移行を介する検索の取り扱い過程800を示す。UEは第1状態において作動する（ブロック812）。UEは、第1状態にある間、優先度のより高い検索をすることの要求を受信するか、または検知可能なワイヤレス・ネットワークについて検索することの要求を受信する（ブロック814）。UEは、第1状態から第2状態へ移行する（ブロック816）。UEは、各状態のタイプに基づいて、第1状態、または第2状態、または第1状態および第2状態の両方においてワイヤレス・ネットワークについての検索を行う（ブロック818）。
【００６２】
UEは、第1状態が休止状態である場合、第1状態において検索を行ってもよいし、および第2状態が他の休止状態である場合、第2状態において検索を継続してもよい。UEは、第1状態が休止状態である場合、第1状態において検索を行ってもよいし、および第2状態が活動状態である場合、第2状態において検索を取り消してもよい。UEは、第3状態が休止状態および検索が取り消されていない場合、第2状態から第3状態へ移行してもよいし、および第3状態において検索を再開してもよい。UEは、第1状態が活動状態である場合、第1状態において検索を遅らせてもよいし、および第2状態が休止状態である場合、第2状態において検索を行ってもよい。
【００６３】
UMTSの場合は、UEは、第1状態がCELL_PCH状態、URA_PCH状態、および休止モードを含む複数の休止状態のうちの1つである場合、第1状態において検索を行ってもよい。UEは、第1状態がCELL_DCH状態およびCELL_FACH状態を含む複数の活動状態のうちの1つである場合、第1状態において検索を遅らせてもよい。UEは、第2状態が休止状態である場合、第2状態において検索を実行してもよいし、および第2状態が活動状態である場合、第2状態において検索を中断してもよい。例えば、UEは、CELL_PCH状態またはURA_PCH状態であってもよい第1状態において検索を行ってもよい。ＵＥは、登録によって第2状態への移行が起動される場合、CELL_FACH状態またはCELL_DCH状態であってもよい第２状態において検索を中断してもよいし、および登録によっての移行が起動されない場合、第2状態において検索を取り消してもよい。
【００６４】
図９は、UE150の設計のブロック図を示す。アップリンクにおいて、UE150によって送られるデータおよびシグナリングは、符号器922によって処理され（例えば、書式化され、符号化され、およびインターリーブされ）、また、アウトプット・チップを生成するために適用可能な無線技術（例えば、W-CDMA、GSM、またはcdma2000）に従った変調器（Mod）924によって更に処理される（例えば、調整される、チャネル化される、およびスクランブルされる）。送信機（TMTR）932は、その後、アウトプット・チップを条件付け（例えば、アナログに変換する、フィルターにかける、増幅する、および周波数をアップコンバートする）、およびアンテナ934を介して送信されるアップリンク信号を生成する。
【００６５】
ダウンリンクにおいて、アンテナ934は、ノードBによって送信されたダウンリンク信号を受信し、および受信した信号を提供する。受信機（RCVR）936は、受信した信号を条件付け（例えば、フィルターにかける、増幅する、周波数をダウンコンバートする、およびデジタル化する）、およびサンプルを提供する。復調器（Demod）926は、サンプルを処理し（例えば、逆スクランブルする、チャネル化する、および復調する）、およびシンボル推定を提供する。復号器928は、更にシンボル推定を処理し（例えば、逆インターリーブおよび復号し）、および復号されたデータを提供する。符号器922、変調器924、復調器926、および復号器928は、モデム・プロセッサー920によって実行されてもよい。これらのユニットは、サービング・ワイヤレス・ネットワークによって使用される無線技術（例えば、W-CDMA、GSM、またはcdma2000）に従って処理を行なう。例えば、復調器926は、W-CDMAのために、OVSF（直交変数拡散因子）コード、データ復調などによって逆拡散し、スクランブルする配列によって逆スクランブルを行ってもよい。復調器926は、GSMのためにフィルタリングの一致および平等化を行なってもよい。
【００６６】
コントローラー／プロセッサー940は、UE150においての作動を制御する。メモリー942は、UE150のためにデータおよびプログラム・コードを記憶する。コントローラー／プロセッサー940は、図6における過程600、図7における過程700、図8における過程800、および／または他の過程を実行してもよい。コントローラー／プロセッサー940は、検索要求を受理すべきかどうか、いつPLMN検索を行うべきかなどを確定してもよい。コントローラー／プロセッサー940は、UEのためにDRX時間、いつ自動検索を行うのか、いつ検索要求を再発行するのかなどを確定するためにタイマーを実行してもよい。コントローラー／プロセッサー940および／またはメモリー942は、進行している検索の状態情報および／またはサービングセルに関する状態情報を記憶してもよい。メモリー942はPLMN情報、獲得データベース、検索結果などを記憶してもよい。
【００６７】
明瞭にするために、検索技術は、UMTSとGSMに関して特に説明されている。これらの技術は、cdma2000ネットワーク、WLAN（ワイヤレス・ローカルエリアネットワーク）などのような他のワイヤレス・ネットワークに使用されてもよい。本技術は、いかなる無線技術のため（例えば、UMTSのみのため、GSMのみのため、UMTSおよびGSMのため、UMTSおよびcdma2000のため、またはその他の無線技術のいくつかの組み合わせのため）に使用されてもよい。
【００６８】
本件明細書において記述された検索技術は、様々な手段によって実装されてもよい。例えば、これらの技術は、ハードウェア、ファームウェア、ソフトウェア、またはそれらの組み合わせにおいて実装されてもよい。ハードウェア実装において、検索を行うために使用される処理ユニットは、1つまたはそれ以上のASIC（特定用途集積回路）、DSP（デジタル信号プロセッサー）、DSPD（デジタル信号処理デバイス）、PLD（プログラマブル論理デバイス）、FPGA（フィールド・プログラマブル・ゲートアレー）、プロセッサー、コントローラー、マイクロ・コントローラー、マイクロプロセッサー、電子デバイス、本件明細書において説明された機能を行うために設計された他の電子ユニット、またはそれらの組み合わせにおいて実装されてもよい。
【００６９】
本件明細書において記述された技術を実装する装置は、独立型のユニットであってもよいし、またはデバイスの一部であってもよい。デバイスは、以下のものであってもよい。(a) 独立型のI C（集積回路）、(b)データおよび／または命令を記憶するためのメモリーICを含んでもよい1つまたはそれ以上のICのセット、(c) MSM（モバイル局モデム）などのASIC 、(d)他のデバイス内に内蔵されていてもよいモジュール、(e)セルラー電話、ワイヤレス・デバイス、受話器、またはモバイルユニット 、(f)その他。
【００７０】
ファームウェアおよび／またはソフトウェア実装のために、検索技術は、本件明細書において説明された機能を行なうモジュール（例えば、手順、機能などなど）によって実装されることができる。ファームウェアおよび／またはソフトウェア・コードは、メモリー（例えば、図９におけるメモリー942）に記憶され、およびプロセッサー（例えば、プロセッサー940）によって実行されてもよい。メモリーは、プロセッサー内においてまたはプロセッサーの外部において実装されてもよい。
【００７１】
本件開示の以上の説明は、どのような当業者も、本件開示の発明を製造し、または使用することができるように提供されている。本件開示に対する様々な修正は、当業者にとって直ちに明白であろう。また、本件明細書において定義された一般原則は、本件開示の要旨または範囲から逸脱することなく、他の変形に対して適用可能である。そのような意味において、本件開示は、本件明細書において説明された事例に限定されるよう意図されているものではなく、本件明細書に開示された原則および新規な特徴と一致する最も広い範囲が与えられるべきものである。
【図１】
2010509854.tif 000007
【図２】
2010509854.tif 000008
【図３】
2010509854.tif 000009
【図４】
2010509854.tif 000010
【図５】
2010509854.tif 000011
【図６】
2010509854.tif 000012
【図７】
2010509854.tif 000013
【図８】
2010509854.tif 000014
【図９】
2010509854.tif 000015
【国際調査報告】
2010509854.tif 000016
2010509854.tif 000017
2010509854.tif 000018
2010509854.tif 000019
2010509854.tif 000020